(57)【要約】【課題】低導電率の雄端子に流れる電流の電流経路を短くし、高導電率の雌端子に流れる電流の電流経路を長くすることで、雄雌端子間の抵抗を抑えることができる雌端子を提供する。【解決手段】  本明細書によって開示される雌端子１０は、前後方向に延びる雄側本体部４１を有する雄端子４０と嵌合される雌端子１０であって、雄側本体部４１が前方より挿通される雌側本体部１１と、雄端子４０との嵌合方向と交差する一方の方向から雄側本体部４１に弾性的に接触する弾性接触片２３と、一方の方向とは逆の他方の方向から雄側本体部４１に当接する受け部１６と、を備え、受け部１６と雄側本体部４１との接点となる受け側接点部１９は、弾性接触片２３と雄側本体部４１との接点となる接触片側接点部２７よりも前方に位置している。【選択図】図１
2019029216.tif 000002
【特許請求の範囲】
【請求項１】
前後方向に延びる雄側本体部を有する雄端子と嵌合される雌端子であって、
前記雄側本体部が前方より挿通される雌側本体部と、
前記雄端子との嵌合方向と交差する一方の方向から前記雄側本体部に弾性的に接触する弾性接触片と、
前記一方の方向とは逆の他方の方向から前記雄側本体部に当接する受け部と、を備え、
前記受け部と前記雄側本体部との接点となる受け側接点部は、前記弾性接触片と前記雄側本体部との接点となる接触片側接点部よりも前方に位置している雌端子。
【請求項２】
前記雌側本体部は、前記雄側本体部が挿通される開口部を有し、
前記弾性接触片は、前記開口部の前縁から片持ち状をなして後方に折返された形状をなす折返し部を有し、
前記折返し部には、前記他方の方向に向けてビード状に突出するビード部が設けられており、
前記接触片側接点部は、前記ビード部上に設けられている請求項１に記載の雌端子。
【請求項３】
前記受け部は、前記一方の方向に向けて突出する山形状をなし、前記受け側接点部を頂点として前側に位置し前記他方の方向に傾斜する前側傾斜部と、後側に位置し前記他方の方向に傾斜する後側傾斜部とを備え、
前記前側傾斜部は、前記後側傾斜部よりも急な傾斜となっており、前記受け側接点部は前記雌側本体部の前記開口部側に設けられている請求項１又は請求項２に記載の雌端子。
【請求項４】
前記受け部は、前記雌側本体部内の幅方向に並列して複数配されている請求項１から請求項３のいずれか一項に記載の雌端子。
【発明の詳細な説明】
【技術分野】
【０００１】
本明細書によって開示される技術は、雌端子に関する。
【背景技術】
【０００２】
従来の雌端子の一例として、特開２００８−１１７６５０号公報（下記特許文献１）に記載の端子金具が知られている。この端子金具は、雌形と称されるものであって、前後方向に貫通し角筒状をなす筒状嵌合部と、筒状嵌合部の後方に設けられた電線接続部と、筒状嵌合部と電線接続部を連結する連結部とを備えている。
【０００３】
電線接続部は、オープンバレル状をなしており、電線の芯線が圧着により接続されている。筒状嵌合部は、底面となる水平な基板と、上面となる水平な受け板と、基板及び受け板と略直角な左右一対の側板とを備えて構成される。
【０００４】
筒状嵌合部内には、その基板の前端から後方へ折り返されて片持ち状に延出する形態の弾性接触片が収容されている。弾性接触片の最も高い位置には、その上面を上方へドーム状に突出するように叩き出しによって接点部が形成されている。
【０００５】
受け板の一部を受け板と略平行に下方（弾性接触片側）へ叩き出すことによって接触部が形成され、接触部の下面（弾性接触片との対向面）は水平な平坦状をなす接触面となっている。
【０００６】
端子金具の接続相手である相手側端子は、雄形と称されるものであって、先端部には、前後方向に細長く、水平な板状をなすタブが形成されている。
【０００７】
端子金具と相手側端子とが嵌合されると、相手側端子のタブは、端子金具の弾性接触片と受け板の接触部との間に挿入される。この時、弾性接触片の接点部は、相手側端子のタブの下面に下方から弾性的に接触する。これにより、相手側端子のタブの上面は受け板の接触部に当接する。
【０００８】
端子金具と相手側端子とが嵌合された状態で相手側端子に電圧を印加すると、電流は相手側端子のタブから、弾性接触片の接点部、及び、受け板の接触部とタブとの接点を通して、端子金具に流れる。
【先行技術文献】
【特許文献】
【０００９】
【特許文献１】特開２００８−１１７６５０号公報
【発明の概要】
【発明が解決しようとする課題】
【００１０】
しかしながら、端子金具の受け板の接触部の下面が平坦状をなしていることから、端子金具と相手側端子とが嵌合されると、受け板の接触部とタブとは面接触するものの、振動等によりタブに力が加わりタブが傾くと、タブと受け板の接触部とは点接触となる。この際、タブの傾き度合いによって接点位置が異なるため、タブと受け板の接触部との接点位置が定まらないという問題がある。また、一般的に雌形の端子金具の材質と雄形の相手側端子の材質は異なっており、雄形の相手側端子よりも雌形の端子金具の方が高い導電率となっている。このため、タブと受け板の接触部との接点位置が、弾性接触片の接点部より前方（タブの先端側）に位置する場合、接点位置が後方に位置する場合と比較して、タブに流れる電流の電流経路が長くなり、端子間の抵抗が大きくなるという問題があった。
【課題を解決するための手段】
【００１１】
本明細書で開示される雌端子は、前後方向に延びる雄側本体部を有する雄端子と嵌合される雌端子であって、前記雄側本体部が前方より挿通される雌側本体部と、前記雄端子との嵌合方向と交差する一方の方向から前記雄側本体部に弾性的に接触する弾性接触片と、前記一方の方向とは逆の他方の方向から前記雄側本体部に当接する受け部と、を備え、前記受け部と前記雄側本体部との接点となる受け側接点部は、前記弾性接触片と前記雄側本体部との接点となる接触片側接点部よりも前方に位置している。
【００１２】
このように構成することで、受け側接点部は、接触片側接点部よりも前方に位置しているので、従来のように受け側接点部が接触片側接点部よりも後方に位置している構成と比較して、雄側本体部に流れる電流の電流経路が短くなり、雄雌端子間の抵抗を少なくすることができる。
【００１３】
また、前記雌側本体部は、前記雄側本体部が挿通される開口部を有し、前記弾性接触片は、前記開口部の前縁から片持ち状をなして後方に折返された形状をなす折返し部を有し、前記折返し部には、前記他方の方向に向けてビード状に突出するビード部が設けられており、前記接触片側接点部は、前記ビード部上に設けられている構成としても良い。
【００１４】
このように構成することで、弾性接触片と雄側本体部との接点がビード部上に定まり、接点位置が明確となる。
【００１５】
また、前記受け部は、前記一方の方向に向けて突出する山形状をなし、前記受け側接点部を頂点として前側に位置し前記他方の方向に傾斜する前側傾斜部と、後側に位置し前記他方の方向に傾斜する後側傾斜部とを備え、前記前側傾斜部は、前記後側傾斜部よりも急な傾斜となっており、前記受け側接点部は前記雌側本体部の前記開口部側に設けられている構成としても良い。
【００１６】
このように構成することで、受け側接点部の位置が開口部側になるので、雄側本体部に流れる電流経路をより短くすることができる。
【００１７】
また、前記受け部は、前記雌側本体部内の幅方向に並列して複数配されている構成としても良い。
【００１８】
このように構成することで、受け側接点部が複数となるので、雄雌端子間の接触抵抗の低減を図ることができる。また、雄側本体部と受け部との間の接点が増えることで、雄側本体部が雌側本体部内でぐらつくことが防止できる。
【発明の効果】
【００１９】
本明細書に開示される雌端子によれば、低導電率の雄端子に流れる電流の電流経路を短くし、高導電率の雌端子に流れる電流の電流経路を長くすることで、雄雌端子間の抵抗を抑えることができる。
【図面の簡単な説明】
【００２０】
【図１】実施形態１における雌ハウジングと雄ハウジングとの嵌合時の断面図（真っ直ぐに嵌合された場合）
【図２】実施形態１における雌ハウジングと雄ハウジングとの嵌合時の断面図（傾いて嵌合された場合）
【図３】実施形態１における雌端子の断面図
【図４】実施形態１における図３のＡ−Ａ断面図
【図５】実施形態２における下側天井壁の背面図
【図６】実施形態３における下側天井壁の背面図
【図７】実施形態４における下側天井壁の背面図
【図８】参考例１における雌端子の断面図
【図９】参考例１における図８のＢ−Ｂ断面図
【図１０】参考例２における雌端子の断面図
【図１１】参考例２における図８のＣ−Ｃ断面図
【発明を実施するための形態】
【００２１】
＜実施形態１＞
図１から図４を参照して実施形態１を説明する。
本実施形態の雌端子１０は、図１に示すように、雌ハウジング５０に収容されて使用される。雌ハウジング５０は、雄端子４０が収容された雄ハウジング７０と嵌合される。雌ハウジング５０と雄ハウジング７０が嵌合されると、雌端子１０と雄端子４０は嵌合される。以降の説明では、図１から図４におけるＸ方向を前方、Ｚ方向を上方、Ｙ方向を右方とする。
【００２２】
雌端子１０は、金属板をプレス加工及び曲げ加工することにより形成されており、図３、図４に示すように、角筒状をなし前後方向に開口する雌側本体部１１を備えている。雌側本体部１１は、上側の天井壁１３と、下側の底壁２１と、天井壁１３の側縁と底壁２１の側縁との間を連結する一対の側壁２０と、弾性接触片２３とを備えている。
【００２３】
天井壁１３は、図３に示すように、上下に２枚の板を重ねて設けられており、上側の上側天井壁１４と、下側の下側天井壁１５とから構成されている。下側天井壁１５の前側には、下方に山状に突出する受け部１６が設けられている。受け部１６は、図４に示すように、左右方向に２つ並列に配されている。受け部１６の頂点が、後述する雄側本体部４１と接触する受け側接点部１９となる。受け部１６は、図３に示すように、受け側接点部１９より前側に傾斜する前側傾斜部１７と、後側に傾斜する後側傾斜部１８とから構成されている。後側傾斜部１８は、緩やかな傾斜となっており、前側傾斜部１７は、後側傾斜部１８よりも急な傾斜となっている。これにより、受け側接点部１９の位置は、雌側本体部１１の前側の開口部１２付近となっている。
【００２４】
底壁２１は、図３に示すように、板状をなしており、中央よりやや後側に、係止孔２２が開口して設けられている。図示しないものの、底壁２１の後端から後方に電線接続部が突出して設けられている。図示しないものの、電線接続部には電線の芯線が固定されており、雌端子１０と電線とは電気的に接続されている。電線には、図示しないゴム栓が挿通されており、電線接続部には、電線に挿通されたゴム栓が固定されている。
【００２５】
弾性接触片２３は、図３に示すように、第１折返し部（折返し部）２５と、第２折返し部２９と、過度撓み防止部３１とを備えている。第１折返し部２５は、底壁２１の前端から第１基端部２４を介して、後方に折り返した形状をなしている。さらに、第１折返し部２５には、上面から上方にビード状に突出するビード部２６が設けられている。第２折返し部２９は、第１折返し部２５の後端から第２基端部２８を介して、底壁２１に向けて斜め前方に折り返した形状をなしている。過度撓み防止部３１は、第２折返し部２９の前端から第３基端部３０を介して、上側に９０度曲げた形状をなしている。過度撓み防止部３１を設けることで、例えば雄端子４０が著しく傾いた状態で雌端子１０と嵌合されると、弾性接触片２３は下方に強く押されることとなるが、その際、過度撓み防止部３１の先端が第１折返し部２５に当たり第１折返し部２５の下方への変位が阻止されるため、弾性接触片２３が過度に撓んで塑性変形することが防止される。
【００２６】
雌ハウジング５０は、図１に示すように、板状をなすハウジング本体部５１と、ハウジング本体部５１から前方にフード状に開口する雌側フード部５２と、ハウジング本体部５１より前後方向に突出する雌端子収容部５３と、ハウジング本体部５１の下方に設けられたロックアーム６３とを備えている。
【００２７】
雌端子収容部５３は、図１に示すように、ハウジング本体部５１より前方の雌側本体収容部５４と、後方のゴム栓収容部６１とから構成されている。雌側本体収容部５４及びゴム栓収容部６１は前後方向に開口しており、雌側本体収容部５４の内部空間とゴム栓収容部６１の内部空間とは連通している。雌側本体収容部５４には、雌端子１０の雌側本体部１１が収容されている。ゴム栓収容部６１には、図示しないものの、雌端子１０の電線接続部に接続されている電線が挿通されており、電線に挿通されているゴム栓が、ゴム栓収容部６１の内部に収容されている。
【００２８】
雌端子収容部５３には、図１に示すように、雌端子収容部５３の内部の下面から立ち上がって前方に延びるランス部５５が設けられている。ランス部５５の上面から上方に雌端子係止部５６が突出して設けられている。ランス部５５は可撓性を有しており、雌側本体部１１が雌側本体収容部５４に収容される際は、ランス部５５が下方に撓んで雌側本体部１１が収容される。雌側本体部１１の係止孔２２には、ランス部５５の雌端子係止部５６が挿通されている。これにより、雌端子１０が後方に抜ける事が防止されている。雌端子収容部５３の内部の前方には、雌側本体支持部５８が設けられており、雌側本体部１１に下方から当接して、雌側本体部１１を支持している。雌側本体収容部５４及び雌側本体支持部５８の前端には前壁５９が設けられている。これにより、雌端子１０が前方に変位すると雌側本体部１１の前端が前壁５９に当接するため、雌端子１０が雌側本体収容部５４内から前方に抜ける事が防止されている。前壁５９には、後述する雄側本体部４１が挿通される雄端子挿通孔６０が開口して設けられている。
【００２９】
ロックアーム６３は、図１に示すように、前後方向に延びた形状をなしている。ハウジング本体部５１とロックアーム６３とは、アーム基端部６４を介して連なっている。ロックアーム６３は、可撓性を有しており、アーム基端部６４を軸として、上下方向にシーソー状に変位することが可能となっている。ロックアーム６３の前端部には、ロック部６６が設けられている。
【００３０】
雄端子４０は、金属板金をプレス加工及び曲げ加工することにより形成されており、図１に示すように、板状をなす雄側本体部４１を備えている。雄端子４０に用いられる金属板金の導電率は、一般的に、雌端子１０に用いられる金属板金の導電率よりも低く設定されている。雄ハウジング７０は、図示しない雄端子収容部と、雄端子４０の嵌合方向に開口する雄側フード部７１とを備えている。雄側フード部７１の下部の先端から、雄側ハウジング係止部７２が下方に突出して設けられている。図示しない雄端子収容部には雄端子４０が収容されている。雄端子４０は、図示しない雄端子収容部内において、ややぐらつく状態で収容されている。
【００３１】
雌ハウジング５０と、雄ハウジング７０とが嵌合される際、雄側ハウジング係止部７２がロック部６６に当たりロックアーム６３が下方に撓む。雌ハウジング５０と、雄ハウジング７０との嵌合が完了した状態で、雄ハウジング７０を後方に引っ張ると、雄側ハウジング係止部７２がロック部６６に当接する。これにより、雄ハウジング７０が、雌ハウジング５０から抜けることが防止されている。図２に示すように、雄側フード部７１と雌側フード部５２との間にはクリアランスが設けられているため、雄ハウジング７０がやや傾いた状態でも、雄ハウジング７０は雌ハウジング５０と嵌合可能となっている。
【００３２】
雌ハウジング５０と雄ハウジング７０とが嵌合され、雌端子１０と雄端子４０とが嵌合されると、図１に示すように、弾性接触片２３の第１折返し部２５に設けられたビード部２６が、雄側本体部４１に下方から弾性的に接触する。このように、ビード部２６が設けられることで、弾性接触片２３と雄側本体部４１との接点がビード部２６上に定まり、接点位置が明確となる。
【００３３】
雄側本体部４１は、左右に２つ並列に配された受け部１６の受け側接点部１９に弾性的に当接している。これにより、雌端子１０と雄端子４０とは３点で接触し、雌端子１０と雄端子４０とは電気的に接続している。このように、雄側本体部４１は、２つの受け部１６と２点で接触しているため、雄側本体部４１が雌側本体部１１内で、嵌合方向を軸とする回転方向にぐらつきにくくなっている。
【００３４】
雌端子１０の受け部１６の後側傾斜部１８の傾斜度は、雄端子４０の図示しない雄端子本体部内での上下方向の最大ぐらつきと、雄ハウジング７０の雌ハウジング５０内での上下方向の最大ぐらつきを合わせた際の雄側本体部４１の最大傾きよりも、急な傾斜となるように設定している。このようにすることで、図２に示すように、雄側本体部４１が傾いた状態で雌側本体部１１の内部に挿通されたとしても、雄側本体部４１が、雌端子１０のビード部２６上の接点及び２つの受け側接点部１９以外の点で接触することはなく、上述した３点での接触が保証される。
【００３５】
次に、実施形態１の作用について説明する。
雄ハウジング７０と雌ハウジング５０とを嵌合すると、雄端子４０の雄側本体部４１が雌端子１０の弾性接触片２３のビード部２６と摺動しながら、雄側本体部４１は雌側本体部１１の内部に挿通されていく。雄ハウジング７０と雌ハウジング５０との嵌合が完了すると、図１に示すように、雄側本体部４１は、弾性接触片２３のビード部２６と弾性的に接触し、これにより、２つの受け側接点部１９と弾性的に接触する。この時、受け側接点部１９は２つとなっているため、受け側接点部が１つの構成と比較して接触抵抗が少なくなり、雄端子４０と雌端子１０との間の抵抗を小さくすることができる。
【００３６】
次に、雄端子４０に電圧を印加すると、電流は、雄側本体部４１から、２つの受け側接点部１９及びビード部２６上の接点を通して、雌側本体部１１に流れる。この時、受け側接点部１９の前後方向の位置は、ビード部２６上の接点よりも前方の開口部１２側にあるため、従来のように、受け側接点部がビード部上の接点より後方の開口部側にある構成と比較して、雄側本体部４１に流れる電流経路は短くなる。従って、雄側本体部４１よりも雌側本体部１１の方が高い導電率のため、雄端子４０と雌端子１０との間の抵抗を小さくすることができる。
【００３７】
次に、雄ハウジング７０と雌ハウジング５０と嵌合する際、図２に示すように、雄ハウジング７０が傾いた状態で嵌合されたとする。この場合についても、雄側本体部４１は、弾性接触片２３のビード部２６上の接点と、２つの受け側接点部１９の３点で接触する。このため、雄ハウジング７０が傾かない状態で嵌合された場合と同様に、雄側本体部４１に流れる電流経路は従来の構成よりも短くなる。従って、雄端子４０と雌端子１０との間の抵抗を小さくすることができる。
【００３８】
以上のように実施形態１によれば、受け側接点部１９は、接触片側接点部２７よりも前方に位置しているので、従来のように受け側接点部が接触片側接点部よりも後方に位置している構成と比較して、雄側本体部４１に流れる電流の電流経路が短くなり、雄端子４０と雌端子１０との間の抵抗を少なくすることができる。
【００３９】
また、弾性接触片２３と雄側本体部４１との接点がビード部２６上に定まり、接点位置が明確となる。
【００４０】
また、受け側接点部１９の位置が開口部１２側になるので、雄側本体部４１に流れる電流経路をより短くすることができる。
【００４１】
また、受け側接点部１９が複数となるので、雄端子４０と雌端子１０との間の接触抵抗の低減を図ることができる。また、雄側本体部４１と受け部１６との間の接点が増えることで、雄側本体部４１が雌側本体部１１内でぐらつくことが防止できる。
＜実施形態２＞
図５を参照して実施形態２を説明する。
実施形態１の雌端子１０では、受け部１６は左右方向に２つ配されていたが、実施形態２の雌端子１０Ａでは、図５に示すように、受け部１６Ａが１つとなっている点が異なる。実施形態１と同様、受け部１６Ａは、前側傾斜部１７Ａと後側傾斜部１８Ａとを備えている。受け部１６Ａと雄側本体部４１との接点は１つであるため、実施形態１と比較して、受け部１６Ａと雄側本体部４１との間の接触抵抗は増加する。また、実施形態１と比較して、雄側本体部４１は、嵌合方向を軸として回転方向にぐらつき易くなっている。その他の構成、及び作用効果は、実施形態１と同じ内容のため、説明を省略する。
【００４２】
＜実施形態３＞
図６を参照して実施形態３を説明する。
実施形態３の雌端子１０Ｂでは、図６に示すように、実施形態２と同様、受け部１６Ｂが１つとなっているが、受け部１６Ｂの前側傾斜部１７Ｂ及び後側傾斜部１８Ｂの前端が左右方向に長くなっており、また、後側傾斜部１８Ｂの左右方向の幅は、後方に向けて狭くなっている点で、実施形態２と異なる。これにより、実施形態２と比較して、雄側本体部４１の嵌合方向を軸とする回転方向のぐらつきを抑えることができる。その他の構成、及び作用効果は、実施形態２と同じ内容のため、説明を省略する。
【００４３】
＜実施形態４＞
図７を参照して実施形態４を説明する。
実施形態４の雌端子１０Ｃでは、図７に示すように、実施形態１と同様、２つの受け部１６Ｃが左右方向に並列に配されているが、後側傾斜部１８Ｃの傾斜度が前側傾斜部１７Ｃと同じとなっている点で、実施形態１と異なる。その他の構成、及び作用効果は実施形態１と同じ内容のため、説明を省略する。
【００４４】
＜参考例１＞
図８、図９を参照して参考例１を説明する。
参考例１の雌端子１１０は、図８に示すように、下側天井壁１１５の形状が実施形態１と異なる。下側天井壁１１５は、第１受け部１１６と第２受け部１１７とを備えている。第１受け部１１６は、雌側本体部１１の開口部１２側に設けられており、下側天井壁１１５の下面から下方に突出している。第２受け部１１７は、第１受け部１１６の後方に設けられており、下側天井壁１１５の下面から下方に突出している。第１受け部１１６と第２受け部１１７とは一定の間隔を空けて配されている。
【００４５】
第２受け部１１７は、図８に示すように、平坦な形状をなす平坦部１１９と、平坦部１１９の前端から前方に斜めに傾斜する前側傾斜部１１８と、平坦部１１９の後端から後方に斜めに傾斜する後側傾斜部１２０とから構成されている。図９に示すように、第１受け部１１６及び第２受け部１１７は、左右方向に２つ並列に配されている。その他の構成は、実施形態１と同じ構成のため、説明を省略する。
【００４６】
次に、参考例１の作用について説明する。
図示しないものの、雄端子４０と雌端子１１０とを嵌合すると、雄側本体部４１は、弾性接触片２３のビード部２６と弾性的に接触し、これにより、第１受け部１１６の頂点及び第２受け部１１７の平坦部１１９の面と弾性的に接触する。このように、平坦部１１９が設けられているため、例えば、雄端子４０が振動等で揺れたとしても、雄側本体部４１が平坦部１１９に当たることで、雄端子４０の振動が雌端子１０に吸収される。これにより、雌端子１１０は、実施形態１の雌端子１０と比較して振動等に強い構成となる。しかし、振動等により雄側本体部４１と第１受け部１１６との接触が無くなると、接点はビード部２６と平坦部１１９の面の２点のみとなり、雄側本体部４１に流れる電流の電流経路が長くなるため、雄端子４０と雌端子１０との間の抵抗は増加する。その他の作用効果は、実施形態１と同じ内容のため、説明を省略する。
【００４７】
＜参考例２＞
図１０、図１１を参照して参考例２を説明する。
参考例２の雌端子２１０は、図１０、図１１に示すように、実施形態１と比較して、下側天井壁２１５の形状が異なる。下側天井壁２１５は、第１受け部２１６と第２受け部２２０とを備えている。
【００４８】
第１受け部２１６は、下側天井壁２１５の前方に位置し下側天井壁２１５の下面から下方に突出して設けられている。第１受け部２１６は、平坦な形状をなす第１平坦部２１８と、第１平坦部２１８の前端から前方に斜めに傾斜する第１前側傾斜部２１７と、第１平坦部２１８の後端から後方に斜めに傾斜する第１後側傾斜部２１９とから構成されている。
【００４９】
第２受け部２２０は、下側天井壁２１５の後方に位置し、下側天井壁２１５の下面から下方に突出して設けられている。第２受け部２２０は、平坦な形状をなす第２平坦部２２１と、第２平坦部２２１の後端から後方に斜めに傾斜する第２後側傾斜部２２２とから構成されている。第１受け部２１６は、図１１に示すように、左右方向に２つ並列に配されており、第２受け部２２０は、下側天井壁２１５の左右方向の中央に位置している。２つの第１受け部２１６の後端と第２受け部２２０の前端とは連なっている。その他の構成は、実施形態１と同じ構成のため、説明を省略する。
【００５０】
次に、参考例２の作用について説明する。
図示しないものの、雄端子４０と雌端子２１０とを嵌合すると、雄側本体部４１は、弾性接触片２３のビード部２６と弾性的に接触し、これにより、２つの第１平坦部２１８の面及び第２平坦部２２１の面と接触する。このように、第２平坦部２２１が設けられているため、例えば、雄端子４０が振動等で揺れたとしても、雄側本体部４１が第２平坦部２２１に当たり、雄端子４０の振動が雌端子１０に吸収される。これにより、雌端子１１０は、実施形態１の雌端子１０と比較して振動等に強い構成となる。しかし、振動等により雄側本体部４１と第１平坦部２１８との接触が無くなると、接点はビード部２６と第２平坦部２２１の面の２点のみとなり、雄側本体部４１に流れる電流の電流経路が長くなるため、雄端子４０と雌端子１０との間の抵抗は増加する。その他の作用効果は、実施形態１と同じ内容のため、説明を省略する。
【００５１】
＜他の実施形態＞
本明細書によって開示される技術は上記記述及び図面によって説明した実施形態に限定されるものではなく、例えば次のような種々の態様も含まれる。
（１）実施形態１及び実施形態４では、受け部１６、１６Ｃの数は２つとし、実施形態２及び実施形態３では、受け部１６Ａ、１６Ｂの数は１つとしたが、受け部の数は３つ以上としても良い。
（２）実施形態１から実施形態４では、天井壁１３側に受け部１６、１６Ａ〜１６Ｃを設け、底壁２１側に弾性接触片２３を設ける構成としたが、底壁側に受け部を設け、天井壁側に弾性接触片を設ける構成としても良い。また、一方の側壁側に受け部を設け、他方の側壁側に弾性接触片を設ける構成としても良い。
（３）実施形態１から実施形態４では、弾性接触片２３にはビード部２６を設ける構成としたが、ビード部２６を設けない構成としても良い。
（４）実施形態１から実施形態４では、底壁２１の後端から後方に電線接続部が突出して設けられている構成としていたが、電線接触部は、天井壁又は側壁から後方に突出する構成としても良い。
【符号の説明】
【００５２】
１０…雌端子
１１…雌側本体部
１２…開口部
１６…受け部
１７…前側傾斜部
１８…後側傾斜部
１９…受け側接点部
２３…弾性接触片
２５…第１折返し部（折返し部）
２６…ビード部
２７…接触片側接点部
４０…雄端子
４１…雄側本体部
【図１】
2019029216.tif 000003
【図２】
2019029216.tif 000004
【図３】
2019029216.tif 000005
【図４】
2019029216.tif 000006
【図５】
2019029216.tif 000007
【図６】
2019029216.tif 000008
【図７】
2019029216.tif 000009
【図８】
2019029216.tif 000010
【図９】
2019029216.tif 000011
【図１０】
2019029216.tif 000012
【図１１】
2019029216.tif 000013
【手続補正書】
【提出日】平成30年7月11日(2018.7.11)
【手続補正１】
【補正対象書類名】明細書
【補正対象項目名】００２０
【補正方法】変更
【補正の内容】
【００２０】
【図１】実施形態１における雌ハウジングと雄ハウジングとの嵌合時の断面図（真っ直ぐに嵌合された場合）
【図２】実施形態１における雌ハウジングと雄ハウジングとの嵌合時の断面図（傾いて嵌合された場合）
【図３】実施形態１における雌端子の断面図
【図４】実施形態１における図３のＡ−Ａ断面図
【図５】実施形態２における受け部を下方から視た断面図であって、実施形態１の図４と対応する断面図
【図６】実施形態３における受け部を下方から視た断面図であって、実施形態１の図４と対応する断面図
【図７】実施形態４における受け部を下方から視た断面図であって、実施形態１の図４と対応する断面図
【図８】参考例１における雌端子の断面図
【図９】参考例１における図８のＢ−Ｂ断面図
【図１０】参考例２における雌端子の断面図
【図１１】参考例２における図１０のＣ−Ｃ断面図
【手続補正２】
【補正対象書類名】明細書
【補正対象項目名】００３４
【補正方法】変更
【補正の内容】
【００３４】
雌端子１０の受け部１６の後側傾斜部１８の傾斜度は、雄端子４０の上下方向の最大ぐらつきと、雄ハウジング７０の雌ハウジング５０内での上下方向の最大ぐらつきを合わせた際の雄側本体部４１の最大傾きよりも、急な傾斜となるように設定している。このようにすることで、図２に示すように、雄側本体部４１が傾いた状態で雌側本体部１１の内部に挿通されたとしても、雄側本体部４１が、雌端子１０のビード部２６上の接点及び２つの受け側接点部１９以外の点で接触することはなく、上述した３点での接触が保証される。
【手続補正３】
【補正対象書類名】明細書
【補正対象項目名】００４６
【補正方法】変更
【補正の内容】
【００４６】
次に、参考例１の作用について説明する。
図示しないものの、雄端子４０と雌端子１１０とを嵌合すると、雄側本体部４１は、弾性接触片２３のビード部２６と弾性的に接触し、これにより、第１受け部１１６の頂点及び第２受け部１１７の平坦部１１９の面と弾性的に接触する。このように、平坦部１１９が設けられているため、例えば、雄端子４０が振動等で揺れたとしても、雄側本体部４１が平坦部１１９に当たることで、雄端子４０の振動が雌端子１１０に吸収される。これにより、雌端子１１０は、実施形態１の雌端子１０と比較して振動等に強い構成となる。しかし、振動等により雄側本体部４１と第１受け部１１６との接触が無くなると、接点はビード部２６と平坦部１１９の面の２点のみとなり、雄側本体部４１に流れる電流の電流経路が長くなるため、雄端子４０と雌端子１１０との間の抵抗は増加する。その他の作用効果は、実施形態１と同じ内容のため、説明を省略する。
【手続補正４】
【補正対象書類名】明細書
【補正対象項目名】００５０
【補正方法】変更
【補正の内容】
【００５０】
次に、参考例２の作用について説明する。
図示しないものの、雄端子４０と雌端子２１０とを嵌合すると、雄側本体部４１は、弾性接触片２３のビード部２６と弾性的に接触し、これにより、２つの第１平坦部２１８の面及び第２平坦部２２１の面と接触する。このように、第２平坦部２２１が設けられているため、例えば、雄端子４０が振動等で揺れたとしても、雄側本体部４１が第２平坦部２２１に当たり、雄端子４０の振動が雌端子２１０に吸収される。これにより、雌端子２１０は、実施形態１の雌端子１０と比較して振動等に強い構成となる。しかし、振動等により雄側本体部４１と第１平坦部２１８との接触が無くなると、接点はビード部２６と第２平坦部２２１の面の２点のみとなり、雄側本体部４１に流れる電流の電流経路が長くなるため、雄端子４０と雌端子２１０との間の抵抗は増加する。その他の作用効果は、実施形態１と同じ内容のため、説明を省略する。